(57)【要約】  【課題】  バスバーに対しプレスフィット端子を安定的に固定できるようにする。  【解決手段】  バスバー２０の貫通孔２０ａに圧入接続される圧入部１３を備えたプレスフィット端子１０であって、圧入部１３の外面両側にはバスバー２０の板厚に対応してバスバー２０を嵌入可能な嵌合凹部１４を形成している。バスバー２０の貫通孔２１に対しプレスフィット端子１０を圧入したとき、嵌合凹部１４に貫通孔２１の内周縁部２１ａが嵌入することで、外力が作用した場合においてもプレスフィット端子１０を安定良く固定維持することができる。  【選択図】  図２
2005174615.tif 000002
【特許請求の範囲】
【請求項１】
バスバーの貫通孔に圧入接続される圧入部を備えたプレスフィット端子であって、
上記圧入部の外面両側には上記バスバーの板厚に対応してバスバーを嵌入可能な嵌合凹部を形成していることを特徴とするバスバー用プレスフィット端子。
【請求項２】
上記両側の嵌合凹部間の寸法は上記貫通孔の内径よりも大きい寸法設定としている請求項１に記載のバスバー用プレスフィット端子。
【請求項３】
上記請求項１または請求項２に記載のプレスフィット端子を用いたバスバー構造であって、
上記バスバーの貫通孔にプレスフィット端子の圧入部を圧入すると共に、上記嵌合凹部内に貫通孔の周縁部を嵌入することでバスバーに対しプレスフィット端子を圧接接続状態で固定し、上記プレスフィット端子の端部をバスバーの平面から垂直に立ち上がったタブ部としていることを特徴とするプレスフィット端子を用いたバスバー構造。
【発明の詳細な説明】
【技術分野】
【０００１】
本発明は、バスバー用プレスフィット端子および該プレスフィット端子を用いたバスバー構造に関し、詳しくは、バスバーに直接プレスフィット端子を圧入接続した状態でプレスフィット端子の挿入位置精度と保持力の向上を図るようにするものである。
【背景技術】
【０００２】
従来、自動車の電気接続箱等に内装されるバスバー１は、図４（Ａ）（Ｂ）に示すように、導電性金属板を展開形状で所要の回路パターンに沿って打抜き加工し、その後、所要個所を垂直に折り曲げ加工して相手側接続部材との接続部となるタブ２を突設している（特許文献１）。そして、このようなバスバー１を絶縁板を介して複数積層して構成される回路体を電気接続箱のケース内に収容し、所要位置に突設されたタブ２にコネクタ、電子部品等の端子を接続するようにしている。
【特許文献１】特開平１１−１８７５４２号
【０００３】
しかしながら、上記構成からなるバスバー１では、所要個所に突設されるタブ２は、打抜き形成後に垂直に折り曲げ加工されるものであるため、曲げ加工前の段階で予め回路パターンの一部として所要の平面領域を必要とする。このため、バスバー１の基部となる部分はタブ２として形成される部分を避けてパターン形状を設定しなければならず、バスバー１のパターン形状が制限されると共に、全体の平面領域が大きくなるという問題がある。また、タブ２の板厚は、これに接続されるコネクタ、電子部品等の相手側端子との関係により、所要の板厚に合わせる必要があるため、バスバー１全体の板厚を任意に設定できないという問題もあった。
【０００４】
そこで、バスバーに貫通孔を形成すると共に、この貫通孔に対し別部材のプレスフィット端子を圧入接続することでタブを突設することも考えられる。しかしながら、プレスフィット端子は貫通孔の内周との間の接触圧のみでバスバーに対し保持されるため、バスバーの板厚が薄いことと相まってプレスフィット端子に外力が作用すると容易に傾いたり外れたりする可能性があり、またプレスフィット端子自体の圧入深さを一定に保つのも難しいという問題がある。
【発明の開示】
【発明が解決しようとする課題】
【０００５】
本発明は上記した問題に鑑みてなされたもので、バスバーに対しプレスフィット端子を所要の圧入深さで安定的に固定できるバスバー用プレスフィット端子および該プレスフィット端子を用いたバスバー構造を提供することを課題としている。
【課題を解決するための手段】
【０００６】
上記課題を解決するため、本発明は、バスバーの貫通孔に圧入接続される圧入部を備えたプレスフィット端子であって、
上記圧入部の外面両側には上記バスバーの板厚に対応してバスバーを嵌入可能な嵌合凹部を形成していることを特徴とするバスバー用プレスフィット端子を提供している。
【０００７】
上記構成によれば、バスバーの貫通孔にプレスフィット端子を圧入すると同時に貫通孔の内周縁が圧入部の両側に形成した嵌合凹部に嵌入する。このため、バスバーに対するプレスフィット端子の挿入深さを規制して所要深さに保つことができる。更に、嵌合凹部による係合作用によってプレスフィット端子に外力が作用しても、その抜け、落ち込み、傾きを防止でき、安定した固定状態を維持することができる。
【０００８】
また、上記両側の嵌合凹部間の寸法は上記貫通孔の内径よりも大きい寸法設定としているので、貫通孔の内周縁が両側の嵌合凹部に嵌入した状態においてもプレスフィット端子の圧入部は貫通孔の内周縁に圧接した状態を維持できるため、電気的な接続信頼性も安定的に確保することができる。
【０００９】
また、他の発明では、上記構成からなるプレスフィット端子を用いたバスバー構造であって、
上記バスバーの貫通孔にプレスフィット端子の圧入部を圧入すると共に、上記嵌合凹部内に貫通孔の周縁部を嵌入することでバスバーに対しプレスフィット端子を圧接接続状態で固定し、上記プレスフィット端子の端部をバスバーの平面から垂直に立ち上がったタブ部としていることを特徴とするプレスフィット端子を用いたバスバー構造を提供している。
【００１０】
このようなバスバー構造によれば、バスバー本体とタブ部が別部材により構成できるので、バスバーの板厚がタブ部の板厚に影響されないため、バスバーをより薄くすることも可能となり、この場合、積層されたバスバー構造体を小型化することができる。なお、バスバーに対するプレスフィット端子の固定状態は、前述のように安定的に固定維持できるため、タブ部をコネクタ、電子部品等の他部材の端子との接続部材として用いる場合においてもバスバーから直接折り曲げて突設したタブと同様に機能させることができる。
【発明の効果】
【００１１】
以上の説明より明らかなように、本発明のプレスフィット端子によれば、バスバーの貫通孔への圧入接続によっても、外力の影響により外れたり、傾いたりすることがなく安定した固定状態および電気的接続状態を維持することができる。
また、このプレスフィットを用いたバスバー構造の他の発明によれば、従来の折り曲げ加工による一体もののタブと同様にプレスフィット端子をバスバーのタブ部として機能させることができる。
【発明を実施するための最良の形態】
【００１２】
以下、本発明の実施形態を図面を参照して説明する。
図１は本発明のバスバー用プレスフィット端子１０の実施形態を示し、このプレスフィット端子１０は導電性金属板からなる帯状の平板から打抜き形成された棒状体からなっている。下部は、バスバー２０の貫通孔２１の内径ｄより小さい幅寸法とされ、下端部には貫通孔２１への挿入を容易とするための先細りの挿入部１１を形成している。一方、上部には相手側接続部材との接続に供される所定形状のタブ部１２を形成している。
【００１３】
また、プレスフィット端子１０の中間部分には、上下の領域に比し両側外方へ張り出し形成することで貫通孔２１の内径ｄより大きい幅寸法に設定した圧入部１３を形成している。本実施形態においては、圧入部１３の中央部に長さ方向に向けて延びる窓部１３ａを形成することで圧入部１３の両側部を窓部１３ａ側に弾性変形可能としている。更に、圧入部１３の外面両側には、バスバー２０の板厚ｔ１に対応する上下幅に設定したコ字状の嵌合凹部１４を形成している。この嵌合凹部１４にはバスバー２０における貫通孔２１の内周縁部２１ａが嵌入可能とされている。また、この嵌合凹部１４における両側の内壁部１４ａ間の幅寸法ａは、貫通孔２１の内径ｄより大きい寸法設定とし、嵌合凹部１４内にバスバー２０の内周縁部２１ａが嵌入した状態で内壁部１４ａと内周縁部２１ａとの間で圧接接続される状態としている。
【００１４】
次に、プレスフィット端子を用いたバスバー構造について説明する。
図２、図３に示すように、バスバー２０には、タブ部１２を突設すべき所要の部位に対応して貫通孔２１を形成している。そして、この貫通孔２１に対し、垂直方向からプレスフィット端子１０の挿入部１１を順次挿入すると、図２（Ａ）に示すように、圧入部１３に達した時点で圧入部１３の両側外面は貫通孔２１の内周縁部２１ａに押圧されて中心方向へ弾性変形する。更にプレスフィット端子１０が貫通孔２１に圧入されると、所要深さ挿入された時点で内周縁部２１ａが圧入部１３の外面両側の嵌合凹部１４内に嵌入され、中心方向へ弾性変形していた圧入部１３が若干外方へ弾性復帰してこの位置でプレスフィット端子１０が固定される（図２（Ｂ））。
【００１５】
この固定状態において、プレスフィット端子１０は図２（Ｃ）に示すように、嵌合凹部１４の内壁部１４ａが貫通孔２１の内周縁部２１ａに圧接接続されるため、電気的接触状態も安定したものとすることができる。更に、嵌合凹部１４の上下の段部１４ｂが貫通孔２１の内周縁部２１ａに係合するため、プレスフィット端子１０はバスバー２０に対し挿入または引き抜き方向、更には傾き方向の外力を受けても安定的な固定状態を維持することができる。このようにして、バスバー２０に対し垂直に突設されたプレスフィット端子１０のタブ部１２は、コネクタ、電子部品等の相手側部材の雌端子との接続部材として利用することができる。このようなバスバー構造を、絶縁板Ｐを介して複数積層することで、自動車用の電気接続箱内に収容する回路構成体として用いることができる。また、バスバー２０とプレスフィット端子１０とが別部材から構成されるため、所要の板厚を必要とするタブ部１２に比し、バスバー２０の板厚を薄く設定することも可能となり、これによりバスバー２０の積層構造を小型化することもできる。
【００１６】
なお、上記実施形態においては、プレスフィット端子１０を相手側接続部材に対するタブ部１２として用いる例を示したが、コネクタや電子部品の端子として直接バスバー２０に圧接接続するための端子部材として用いることもできる。また、プレスフィット端子１０の圧入部１３として窓部１３ａを備えたニードルアイ形状の例を示したが、断面が分離していないソリッドタイプや、断面分離した段違いタイプ、断面形状がＣ型、Ｍ型、Ｎ型等のタイプ等その形状は種々選択可能である。
【図面の簡単な説明】
【００１７】
【図１】本発明のプレスフィット端子の実施形態を示す斜視図である。
【図２】（Ａ）（Ｂ）は、プレスフィット端子をバスバーに圧接接続する状態を示す図、（Ｃ）は要部の拡大図である。
【図３】バスバー構成体の斜視図である。
【図４】（Ａ）（Ｂ）は従来例を示す図である。
【符号の説明】
【００１８】
１０  プレスフィット端子
１２  タブ部
１３  圧入部
１４  嵌合凹部
２０  バスバー
２１  貫通孔
ｔ１  板厚
【図１】
2005174615.tif 000003
【図２】
2005174615.tif 000004
【図３】
2005174615.tif 000005
【図４】
2005174615.tif 000006